(57)【要約】【課題】電圧モニタ部位を変更しても使用できるような汎用性を有する電圧モニタ装置を提供する。【解決手段】電圧モニタ装置１は、複数の入力端子２と、分圧回路３と、マルチプレクサ４と、出力端子５と、第１スイッチＳＷ１と、第２スイッチＳＷ２とから構成される。そして、分圧回路３は、第１抵抗Ｒ１と第２抵抗Ｒ２とからなり、分圧電圧を生成している。さらに、第１抵抗Ｒ１は、異なる抵抗値からなる３つの第１選択抵抗Ｒ１１〜Ｒ１３が並列接続されており、第２抵抗Ｒ２は、異なる抵抗値からなる３つの第２選択抵抗Ｒ２１〜Ｒ２３が並列接続されている。そして、第１スイッチＳＷ１は、入力電圧Ｖ１に応じて第１選択抵抗Ｒ１１〜Ｒ１３と切換接続する。また、第２スイッチＳＷ２は、入力電圧Ｖ１に応じて第２選択抵抗Ｒ２１〜Ｒ２３と切換接続する。【選択図】図１
2004271356.tif 000002
【特許請求の範囲】
【請求項１】
複数の入力電圧がそれぞれ印加される複数の入力端子と、
それぞれの前記入力端子に入力された前記入力電圧を所定分圧比に分圧する複数の入力後分圧手段と、
それぞれの前記入力後分圧手段に接続された複数の入力チャンネルと該入力チャンネルの何れか一つを選択するチャンネル選択手段と該チャンネル選択手段により選択された選択電圧を出力する選択電圧出力手段とを備えた入力電圧選択手段と、
前記選択電圧を出力する出力端子と、
を備えた電圧モニタ装置において、
それぞれの前記入力後分圧手段は前記所定分圧比が異なる複数の異分圧比分圧手段を備え、
さらに、複数の前記異分圧比分圧手段のうち何れか一つを選択して、選択された前記異分圧比分圧手段の一端側を前記入力端子に接続して他端側を前記入力チャンネルに接続する分圧比選択接続手段を備えたことを特徴とする電圧モニタ装置。
【請求項２】
複数の入力電圧がそれぞれ印加される複数の入力端子と、
それぞれの前記入力端子に接続された複数の入力チャンネルと該入力チャンネルの何れか一つを選択するチャンネル選択手段と該チャンネル選択手段により選択された選択電圧を出力する選択電圧出力手段とを備えた入力電圧選択手段と、
前記選択電圧を所定分圧比にて分圧する選択後分圧手段と、
前記選択後分圧手段により分圧された分圧電圧を出力する出力端子と、
を備えた電圧モニタ装置において、
前記選択後分圧手段は前記所定分圧比が異なる複数の異分圧比分圧手段を備え、
さらに、複数の前記異分圧比分圧手段のうち何れか一つを選択して、選択された前記異分圧比分圧手段の一端側を前記選択電圧出力手段に接続して他端側を前記出力端子に接続する分圧比選択接続手段を備えたことを特徴とする電圧モニタ装置。
【発明の詳細な説明】
【０００１】
【発明の属する技術分野】
本発明は、電圧モニタ装置に関するものである。
【０００２】
【従来の技術】
電圧モニタ装置は、複数の入力電圧から選択した一の入力電圧を出力するものである。そして、電圧モニタ装置から出力された出力電圧をＣＰＵに入力して電圧値を検出している。
【０００３】
従来の電圧モニタ装置を図３に示す。図３に示すように、従来の電圧モニタ装置２１は、複数の入力端子２２と、複数の分圧回路２３と、マルチプレクサ２４と、出力端子２５とからなる。分圧回路２３は、入力電圧を所定分圧比に分圧する回路である。一般には、図３に示すように、２つの抵抗により構成される。この分圧回路２３は、それぞれの入力端子２２に接続されている。なお、所定分圧比は、分圧回路２３毎に予め設定されている。マルチプレクサ２４は、複数の入力チャンネルｃｈ１〜ｃｈｎと、入力チャンネルのうち何れか一つを選択するチャンネル選択手段を有している。このマルチプレクサ２４のそれぞれの入力チャンネルは、入力端子２２及び分圧回路２３を介して入力された入力電圧が入力される。そして、入力チャンネルに入力された入力電圧のうち選択された電圧を出力端子２５を介して出力する。
【０００４】
【特許文献１】
特開２０００−３４６９０９号公報
【０００５】
【発明が解決しようとする課題】
しかし、従来の電圧モニタ装置２１は、入力端子２２及び入力チャンネルには、予め設定された分圧回路２３が接続されている。すなわち、入力端子２２に入力された入力電圧は、予め決められた分圧比に基づき分圧される。
【０００６】
このように、入力端子２２に対して分圧比が予め決められているので汎用性がない。すなわち、入力端子２２に接続することができる外部入力電圧は決められている。仮に、異なる外部入力電圧を入力させた場合には、電圧モニタすることはできるが誤差を生じることにより正確な電圧をモニタすることができない。また、電圧モニタそのものをすることができない場合も生じる。
【０００７】
具体例をあげて説明する。設定時の外部入力電圧Ｖ１を約２０Ｖとし、分圧比を５分の１とし、ＣＰＵの耐圧を５Ｖとする。そして、８ビットのＣＰＵを用いた場合は、分解能は２５６ＬＳＢとなる。すなわち、ＣＰＵの１ＬＳＢ当たり２０ｍＶとなる。この場合は、分圧回路２３により、外部入力電圧Ｖ１は約４Ｖに分圧される。そして、この分圧電圧約４ＶがＣＰＵに入力される。つまり、ＣＰＵの分解能の５分の４の分解能を利用している。
【０００８】
ここで、外部入力電圧Ｖ１を変更して約５Ｖの外部入力電圧Ｖ２を入力端子２２に接続した場合を考える。この場合、外部入力電圧Ｖ２は、分圧回路３により約１Ｖに分圧される。そして、この分圧電圧約１ＶがＣＰＵに入力される。つまり、ＣＰＵの分解能の５分の１の分解能を利用している。つまり、ＣＰＵの分解能の利用割合が低いため、電圧値判定の誤差が大きくなり、正確な電圧をモニタすることができない。
【０００９】
また、外部入力電圧Ｖ１を変更して約３０Ｖの外部入力電圧Ｖ３を入力端子２２に接続する場合を考える。この場合、外部入力電圧Ｖ３は、分圧回路２３により約６Ｖに分圧される。そして、この分圧電圧約６ＶがＣＰＵに入力されることになる。しかし、ＣＰＵの耐圧が５Ｖであるので、この場合の電圧値の判定ができない。
【００１０】
本発明は、このような事情に鑑みて為されたものであり、汎用性を有する電圧モニタ装置を提供することを目的とする。
【００１１】
【課題を解決するための手段及び発明の効果】
そこで、本発明者はこの課題を解決すべく鋭意研究し、試行錯誤を重ねた結果、分圧回路を複数備え、最適な分圧回路を選択可能とすることを思いつき、本発明を完成するに至った。
【００１２】
すなわち、本発明の電圧モニタ装置は、複数の入力端子と、複数の入力後分圧手段と、入力電圧選択手段と、出力端子とを備える。ここで、入力端子は、入力電圧が印加される端子である。そして、それぞれの入力端子には、それぞれの入力電圧が印加される。入力後分圧手段は、それぞれの入力端子に入力された入力電圧を所定分圧比に分圧する手段である。入力電圧選択手段は、複数の入力チャンネルと、チャンネル選択手段と、選択電圧出力手段とを備える。入力チャンネルは、それぞれの入力端子に接続されたチャンネルである。チャンネル選択手段は、入力チャンネルの何れか一つを選択する手段である。選択電圧出力手段は、チャンネル選択手段により選択された選択電圧を出力する手段である。出力端子は、選択電圧を出力する端子である。
【００１３】
そして、本発明の特徴的な構成は、それぞれの入力後分圧手段は所定分圧比が異なる複数の異分圧比分圧手段を備え、さらに、分圧比選択接続手段を備えたことである。分圧比選択接続手段は、複数の異分圧比分圧手段のうち何れか一つを選択して、選択された異分圧比分圧手段の一端側を入力端子に接続して、他端側を入力チャンネルに接続する手段である。なお、異分圧比分圧手段は、各入力端子と各入力チャンネルとの間に複数並列配設されている。
【００１４】
つまり、入力電圧は、入力電圧に応じて分圧比選択接続手段を変更することにより、入力電圧値に応じた最適な分圧比に分圧することができる。ここで、最適な分圧比とは上述したとおりである。そして、最適に分圧された分圧電圧がそのまま出力端子から出力される。このように、入力電圧が異なった場合であっても、最適な分圧比にすることができるので、電圧モニタ装置が汎用性を有することになる。
【００１５】
また、本発明の電圧モニタ装置は、複数の入力端子と、入力電圧選択手段と、選択後分圧手段と、出力端子とを備える。ここで、入力端子は、入力電圧が印加される端子である。そして、それぞれの入力端子には、それぞれの入力電圧が印加される。入力電圧選択手段は、複数の入力チャンネルと、チャンネル選択手段と、選択電圧出力手段とを備える。入力チャンネルは、それぞれの入力端子に接続されたチャンネルである。チャンネル選択手段は、入力チャンネルの何れか一つを選択する手段である。選択電圧出力手段は、チャンネル選択手段により選択された選択電圧を出力する手段である。選択後分圧手段は、選択電圧を所定分圧比にて分圧する手段である。出力端子は、選択後分圧手段により分圧された分圧電圧を出力する端子である。
【００１６】
そして、本発明の特徴的な構成は、選択後分圧手段は所定分圧比が異なる複数の異分圧比分圧手段を備え、さらに、分圧比選択接続手段を備えたことである。分圧比選択接続手段は、複数の異分圧比分圧手段のうち何れか一つを選択して、選択された異分圧比分圧手段の一端側を選択電圧出力手段に接続して、他端側を出力端子に接続する手段である。なお、異分圧比分圧手段は、選択電圧出力手段と出力端子の間に並列配設されている。
【００１７】
つまり、入力電圧は、入力電圧値のまま入力チャンネルに入力される。そして、チャンネル選択手段により選択された選択電圧に応じて分圧比選択接続手段を変更することにより、選択電圧に応じた最適な分圧比に分圧することができる。ここで、最適な分圧比とは、ＣＰＵの分解能を十分に発揮することができる分圧比のことである。このように、入力電圧が異なった場合であっても、最適な分圧比にすることができるので、電圧モニタ装置が汎用性を有することになる。
【００１８】
【発明の実施の形態】
次に、実施形態を挙げ、本発明をより詳しく説明する。
【００１９】
（第１実施形態）
本実施形態における電圧モニタ装置について図１を参照して説明する。図１に示すように、電圧モニタ装置１は、入力端子２（２ａ，２ｂ，…，２ｎ）と、分圧回路（入力後分圧手段）３と、第１スイッチＳＷ１（ＳＷ１ａ，ＳＷ１ｂ，…，ＳＷ１ｎ）（分圧比選択接続手段）と、第２スイッチＳＷ２（ＳＷ２ａ，ＳＷ２ｂ，…，ＳＷ２ｎ）（分圧比選択接続手段）と、マルチプレクサ（入力電圧選択手段）４と、出力端子５とから構成される。
【００２０】
入力端子２（２ａ，２ｂ，…，２ｎ）には、それぞれ異なる電圧モニタ部位（図示せず）が接続される。すなわち、電圧モニタ部位の電圧（入力電圧）Ｖ１（Ｖ１ａ，Ｖ１ｂ，…，Ｖ１ｎ）が入力端子２に入力される。
【００２１】
分圧回路３は、第１抵抗Ｒ１（Ｒ１ａ，Ｒ１ｂ，…，Ｒ１ｎ）と、第２抵抗Ｒ２（Ｒ２ａ，Ｒ２ｂ，…，Ｒ２ｎ）とから構成される。第１抵抗Ｒ１と第２抵抗Ｒ２との抵抗比に応じて分圧比が決定される。第１抵抗Ｒ１の一端側は入力端子２に接続され、第１抵抗Ｒ１の他端側に第２抵抗Ｒ２の一端側が接続され、第２抵抗Ｒ２の他端側がアースに接続される。これにより、入力端子２に入力された入力電圧Ｖ１が、第１抵抗Ｒ１の他端側に所定分圧比に分圧された分圧電圧Ｖ２（Ｖ２ａ，Ｖ２ｂ，…，Ｖ２ｎ）を生成する。
【００２２】
ここで、第１抵抗Ｒ１ａは入力端子２ａに接続される抵抗であって、第１抵抗Ｒ１ｂは入力端子２ｂに接続される抵抗である。第１抵抗Ｒ１ａは、それぞれ異なる抵抗値からなる３つの抵抗（第１選択抵抗Ｒ１１ａ〜Ｒ１３ａ）（異分圧比分圧手段）が並列接続されている。また、第１抵抗Ｒ１ｂは、それぞれ異なる抵抗値からなる３つの抵抗（第１選択抵抗Ｒ１１ｂ〜Ｒ１３ｂ）が並列接続されている。
【００２３】
そして、入力端子２ａと第１抵抗Ｒ１ａとの間には、第１スイッチＳＷ１ａが配設されている。この第１スイッチＳＷ１ａは、一端側が入力端子２ａに接続されており、他端側が第１抵抗Ｒ１ａの第１選択抵抗Ｒ１１ａ〜Ｒ１３ａと切替接続される。すなわち、第１スイッチＳＷ１ａが、何れの第１選択抵抗Ｒ１１ａ〜Ｒ１３ａに接続されていない場合、第１選択抵抗Ｒ１１ａに接続されている場合、第１選択抵抗Ｒ１２ａに接続されている場合、第１選択抵抗Ｒ１３ａに接続されている場合がある。
【００２４】
また、入力端子２ｂと第１抵抗Ｒ１ｂとの間には、第１スイッチＳＷ１ｂが配設されている。この第１スイッチＳＷ１ｂは、一端側が入力端子２ｂに接続されており、他端側が第１抵抗Ｒ１ｂの第１選択抵抗Ｒ１１ｂ〜Ｒ１３ｂと切替接続される。すなわち、第１スイッチＳＷ１ｂが、何れの第１選択抵抗Ｒ１１ｂ〜Ｒ１３ｂに接続されていない場合、第１選択抵抗Ｒ１１ｂに接続されている場合、第１選択抵抗Ｒ１２ｂに接続されている場合、第１選択抵抗Ｒ１３ｂに接続されている場合がある。
【００２５】
また、第２抵抗Ｒ２ａは第１抵抗Ｒ１ａの他端側に接続される抵抗であって、第２抵抗Ｒ２ｂは第１抵抗Ｒ１ｂの他端側に接続される抵抗である。第２抵抗Ｒ２ａは、それぞれ異なる抵抗値からなる３つの抵抗（第２選択抵抗Ｒ２１ａ〜Ｒ２３ａ）（異分圧比分圧手段）が並列接続されている。また、第２抵抗Ｒ２ｂは、それぞれ異なる抵抗値からなる３つの抵抗（第２選択抵抗Ｒ２１ｂ〜Ｒ２３ｂ）が並列接続されている。
【００２６】
そして、第２抵抗Ｒ２ａとアースとの間には、第２スイッチＳＷ２ａが配設されている。この第２スイッチＳＷ２ａは、一端側がアースに接続されており、他端側が第２抵抗Ｒ２ａの第２選択抵抗Ｒ２１ａ〜Ｒ２３ａと切替接続される。すなわち、第２スイッチＳＷ２ａが、何れの第２選択抵抗Ｒ２１ａ〜Ｒ２３ａに接続されていない場合、第２選択抵抗Ｒ２１ａに接続されている場合、第２選択抵抗Ｒ２２ａに接続されている場合、第２選択抵抗Ｒ２３ａに接続されている場合がある。
【００２７】
また、第２抵抗Ｒ２ｂとアースとの間には、第２スイッチＳＷ２ｂが配設されている。この第２スイッチＳＷ２ｂは、一端側がアースに接続されており、他端側が第２抵抗Ｒ２ｂの第２選択抵抗Ｒ２１ｂ〜Ｒ２３ｂと切替接続される。すなわち、第２スイッチＳＷ２ｂが、何れの第２選択抵抗Ｒ２１ｂ〜Ｒ２３ｂに接続されていない場合、第２選択抵抗Ｒ２１ｂに接続されている場合、第２選択抵抗Ｒ２２ｂに接続されている場合、第２選択抵抗Ｒ２３ｂに接続されている場合がある。
【００２８】
このように、第１抵抗Ｒ１ａと第２抵抗Ｒ２ａの接続を切替えることにより、９種類の分圧比を生成することができる。また、第２抵抗Ｒ１ｂと第２抵抗Ｒ２ｂの場合も同様である。なお、分圧比の種類は、選択可能な第１抵抗Ｒ１及び第２抵抗Ｒ２の数によって変わる。
【００２９】
マルチプレクサ４は、入力チャンネルｃｈ１〜ｃｈｎと、入力チャンネル選択手段４ａと、選択電圧出力手段４ｂとから構成される。入力チャンネルｃｈ１〜ｃｈｎには、第１抵抗Ｒ１（Ｒ１ａ，Ｒ１ｂ，…，Ｒ１ｎ）のうち、それぞれの入力チャンネルｃｈに対応する第１抵抗Ｒ１の他端側が接続されている。すなわち、それぞれの入力チャンネルｃｈ１〜ｃｈｎには、第１抵抗Ｒ１及び第２抵抗Ｒ２により分圧された分圧電圧Ｖ２（Ｖ２ａ，Ｖ２ｂ，…，Ｖ２ｎ）がそれぞれ入力される。
【００３０】
入力チャンネル選択手段４ａは、ＣＰＵ６からの入力信号に基づき入力チャンネルｃｈの何れか一つを選択する。例えば、ＣＰＵ６が入力端子２ａに接続された電圧モニタ部位の外部電圧をモニタする信号を出力した場合には、マルチプレクサ４の入力チャンネル選択手段４ａは、入力チャンネルｃｈ１を選択する。そして、選択電圧出力手段４ｂは、入力チャンネル選択手段４ａにより選択された入力チャンネルｃｈに入力される電圧（選択電圧）Ｖ３を出力する。
【００３１】
出力端子５は、マルチプレクサ４の選択電圧出力手段４ｂに接続されている。従って、選択電圧出力手段４ｂから出力された選択電圧Ｖ３が出力端子５に印加される。そして、出力端子５に接続されるＣＰＵ６に選択電圧Ｖ３を出力する。
【００３２】
ＣＰＵ６は、電圧モニタ装置１の出力端子５に接続されており、出力端子５から出力された選択電圧Ｖ３を入力し、選択電圧Ｖ３をＡ／Ｄ変換する。そして、Ａ／Ｄ変換された選択電圧Ｖ３と分圧回路３の分圧比とに基づき、電圧モニタ装置１に入力された入力電圧Ｖ１のうち選択した入力電圧Ｖ１の電圧値を算出する。
【００３３】
なお、第１スイッチＳＷ１及び第２スイッチＳＷ２の切換動作は、次のように動作させてもよい。最初は、最小の分圧比となるように接続して、ＣＰＵ６にて電圧値の算出を行う。その後、その電圧値が適切な電圧値でない場合に、各スイッチＳＷを変更させて徐々に大きな分圧比に変更する。このようにして、最適な分圧比となるように各スイッチＳＷを接続させる。
【００３４】
（第２実施形態）
本実施形態における電圧モニタ装置について図２を参照して説明する。図２に示すように、電圧モニタ装置１１は、入力端子１２（１２ａ，１２ｂ，…，１２ｎ）と、マルチプレクサ（入力電圧選択手段）１３と、分圧回路（選択後分圧手段）１４と、第１スイッチ（分圧比選択接続手段）ＳＷ１１と、第２スイッチ（分圧比選択接続手段）ＳＷ１２と、出力端子１５とから構成される。
【００３５】
入力端子１２（１２ａ，１２ｂ，…，１２ｎ）には、それぞれ異なる電圧モニタ部位（図示せず）が接続される。すなわち、電圧モニタ部位の電圧（入力電圧）Ｖ１１（Ｖ１１ａ，Ｖ１１ｂ，…，Ｖ１１ｎ）が入力端子１２に入力される。
【００３６】
マルチプレクサ１３は、入力チャンネルｃｈ１〜ｃｈｎと、入力チャンネル選択手段１３ａと、選択電圧出力手段１３ｂとから構成される。入力チャンネルｃｈ１〜ｃｈｎは、それぞれの入力チャンネルｃｈに対応する入力端子１２と接続されている。すなわち、それぞれの入力チャンネルｃｈ１〜ｃｈｎには、入力電圧Ｖ１１（Ｖ１１ａ，Ｖ１１ｂ，…，Ｖ１１ｎ）がそれぞれ入力される。
【００３７】
入力チャンネル選択手段１３ａは、ＣＰＵ６からの入力信号に基づき入力チャンネルｃｈの何れか一つを選択する。例えば、ＣＰＵ６が入力端子１２ａに接続された電圧モニタ部位の外部電圧をモニタする信号を出力した場合には、マルチプレクサ４の入力チャンネル選択手段１３ａは、入力チャンネルｃｈ１を選択する。そして、選択電圧出力手段１３ｂは、入力チャンネル選択手段１３ａにより選択された入力チャンネルｃｈに入力される電圧（選択電圧）Ｖ１２を出力する。
【００３８】
分圧回路１４は、第１抵抗（異分圧比分圧手段）Ｒ３と、第２抵抗（異分圧比分圧手段）Ｒ４とから構成される。第１抵抗Ｒ３と第２抵抗Ｒ４との抵抗比に応じて分圧比が決定される。第１抵抗Ｒ３の一端側は、マルチプレクサ１３の選択電圧出力手段１３ｂに接続され、第１抵抗Ｒ３の他端側に第２抵抗Ｒ４の一端側が接続され、第２抵抗Ｒ４の他端側がアースに接続される。これにより、マルチプレクサ１３により選択された選択電圧Ｖ１２が、第１抵抗Ｒ３の他端側に所定分圧比に分圧された分圧電圧Ｖ１３を生成する。
【００３９】
ここで、第１抵抗Ｒ３は、それぞれ異なる抵抗値からなる３つの抵抗（第１選択抵抗Ｒ３１〜Ｒ３３）が並列接続されている。また、第２抵抗Ｒ４は、それぞれ異なる抵抗値からなる３つの抵抗（第２選択抵抗Ｒ４１〜Ｒ４３）が並列接続されている。
【００４０】
そして、選択電圧出力手段１３ｂと第１抵抗Ｒ３との間には、第１スイッチＳＷ１１が配設されている。この第１スイッチＳＷ１１は、一端側が選択電圧出力手段１３ｂに接続されており、他端側が第１抵抗Ｒ３の第１選択抵抗Ｒ３１〜Ｒ３３と切換接続されている。すなわち、第１スイッチＳＷ１１が、全ての第１選択抵抗Ｒ３１〜Ｒ３３に接続されていない場合、第１選択抵抗Ｒ３１に接続されている場合、第１選択抵抗Ｒ３２に接続されている場合、第１選択抵抗Ｒ３３に接続されている場合がある。
【００４１】
また、第２選択抵抗Ｒ４１は、第１選択抵抗Ｒ３１の他端側に接続される抵抗である。第２選択抵抗Ｒ４２は、第１選択抵抗Ｒ３２の他端側に接続される抵抗である。第２選択抵抗Ｒ４３は、第１選択抵抗Ｒ３３の他端側に接続される抵抗である。
【００４２】
そして、第１抵抗Ｒ３の他端側と出力端子１５との間には、第２スイッチＳＷ１２が配設されている。この第２スイッチＳＷ１２は、一端側が出力端子１５に接続されており、他端側が第１抵抗Ｒ３の第１選択抵抗Ｒ３１〜Ｒ３３と切換接続されている。また、第２スイッチＳＷ１２は、第１スイッチＳＷ１１と連動して動作する。すなわち、第１スイッチＳＷ１１が第１選択抵抗Ｒ３１の一端側に接続された場合は、第２スイッチＳＷ１２は第１選択抵抗Ｒ３１の他端側に接続される。第１スイッチＳＷ１１が第１選択抵抗Ｒ３２の一端側に接続された場合は、第２スイッチＳＷ１２は第１選択抵抗Ｒ３２の他端側に接続される。第１スイッチＳＷ１１が第１選択抵抗Ｒ３３の一端側に接続された場合は、第２スイッチＳＷ１２は第１選択抵抗Ｒ３３の他端側に接続される。
【００４３】
つまり、第１スイッチＳＷ１１及び第２スイッチＳＷ１２が第１選択抵抗Ｒ３１と接続された場合には、選択電圧Ｖ１２は、第１選択抵抗Ｒ３１と第２選択抵抗Ｒ４１との抵抗比に基づき分圧電圧Ｖ１３が出力端子１５側に生成される。また、第１スイッチＳＷ１１及び第２スイッチＳＷ１２が第１選択抵抗Ｒ３２と接続された場合には、選択電圧Ｖ１２は、第１選択抵抗Ｒ３２と第２選択抵抗Ｒ４２との抵抗比に基づき分圧電圧Ｖ１３が出力端子１５側に生成される。また、第１スイッチＳＷ１１及び第２スイッチＳＷ１２が第１選択抵抗Ｒ３３と接続された場合には、選択電圧Ｖ１２は、第１選択抵抗Ｒ３３と第２選択抵抗Ｒ４３との抵抗比に基づき分圧電圧Ｖ１３が出力端子１５側に生成される。
【００４４】
出力端子１５は、上述したように、第２スイッチＳＷ１２に接続されている。従って、分圧回路１４により分圧された分圧電圧Ｖ１３が出力端子１５に印加される。そして、出力端子１５に接続されるＣＰＵ６に分圧電圧Ｖ１３を出力する。
【００４５】
ＣＰＵ６は、電圧モニタ装置１１の出力端子１５に接続されており、出力端子１５から出力された分圧電圧Ｖ１３を入力し、分圧電圧Ｖ１３をＡ／Ｄ変換する。そして、Ａ／Ｄ変換された分圧電圧Ｖ１３と分圧回路１４の分圧比とに基づき、電圧モニタ装置１１に入力された入力電圧Ｖ１のうち選択した入力電圧Ｖ１の電圧値を算出する。
【００４６】
なお、第１スイッチＳＷ１及び第２スイッチＳＷ２の切換動作は、次のように動作させてもよい。最初は、最小の分圧比となるように接続して、ＣＰＵ６にて電圧値の算出を行う。その後、その電圧値が適切な電圧値でない場合に、各スイッチＳＷを変更させて徐々に大きな分圧比に変更する。このようにして、最適な分圧比となるように各スイッチＳＷを接続させる。
【図面の簡単な説明】
【図１】第１実施形態の電圧モニタ装置を示す図である。
【図２】第２実施形態の電圧モニタ装置を示す図である。
【図３】従来の電圧モニタ装置を示す図である。
【符号の説明】
１，１１，２１  ・・・  電圧モニタ装置
２，１２，２２  ・・・  入力端子
３，１４，２３  ・・・  分圧回路（入力後分圧手段、選択後分圧手段）
４，１３，２４  ・・・  マルチプレクサ（入力電圧選択手段）
５，１５，２５  ・・・  出力端子
【図１】
2004271356.tif 000003
【図２】
2004271356.tif 000004
【図３】
2004271356.tif 000005